(57)【要約】【課題】  遊技者の混乱を招くことなく、受付金額および受付金額に応じた貸与可能度数を表示可能な遊技用装置および遊技用システムを提案する。【解決手段】  カード挿入口に受付けられた会員カードから読み出されたカード残額と、紙幣投入口または硬貨投入口から投入された受付金額の残額と、の総額を消費単位額としての貸出単位額（１００円）と、該貸出単位額に対応する消費税額（５円）と、の合計（１０５円）で除した商の整数部分を度数として度数表示部２ａにて表示するとともに、カード残額と受付金額の残額との総額を残金額表示部にて表示するため、カード残額と受付金額の残額との総額が１円以上１０５円未満となり度数表示部２ａにて表示される度数が０となる場合であっても遊技者に不信感を与えることがない。【選択図】  図４
2006081825.tif 000002
【特許請求の範囲】
【請求項１】
遊技機に対応して設けられ、貨幣価値を特定可能な貨幣価値媒体を受付け、該受付けた貨幣価値媒体から受付金額を特定する受付金額特定手段と、該受付金額特定手段により特定した受付金額の範囲内において遊技に使用可能な遊技媒体を貸与するとともに、該貸与した遊技媒体数に応じた金額および該金額に応じた消費税相当額を貸与額として前記受付金額から減額する貸与処理を行う貸与処理手段と、を含む遊技用装置であって、
前記貸与額を記憶する貸与額記憶手段と、
前記貸与額から前記受付金額に対する貸与可能度数を特定する貸与可能度数特定手段と、
前記受付金額を表示する受付金額表示部と、
該受付金額表示部に対して受付金額を表示させる制御を行う受付金額表示制御手段と、
前記貸与可能度数を表示するための表示信号を前記対応する遊技機に対して出力する度数表示信号出力手段と、を備え、
前記貸与処理手段は、前記貸与処理に応じて前記受付金額特定手段により特定された前記受付金額から貸与額分を減算するとともに、前記貸与可能度数特定手段により特定された前記貸与可能度数から貸与度数分を減算することを特徴とする遊技用装置。
【請求項２】
遊技機に対応して設けられ、貨幣価値を特定可能な貨幣価値媒体を受付け、該受付けた貨幣価値媒体から受付金額を特定する受付金額特定手段と、該受付金額特定手段により特定した受付金額の範囲内において遊技に使用可能な遊技媒体を貸与するとともに、該貸与した遊技媒体数に応じた金額および該金額に応じた消費税相当額を貸与額として受付金額から減額する貸与処理を行う貸与処理手段と、を含む遊技用装置であって、
前記貸与額を記憶する貸与額記憶手段と、
受付けた貨幣価値媒体から受付金額を特定する受付金額特定手段と、
前記貸与額から前記受付金額に対する貸与可能度数を特定する貸与可能度数特定手段と、
前記受付金額を表示する受付金額表示部と、
該受付金額表示部に対して受付金額を表示させる制御を行う受付金額表示制御手段と、
前記貸与可能度数を表示するための表示信号を前記対応する遊技機に対して出力する度数表示信号出力手段と、を備え、
前記貸与処理手段は、前記貸与処理に応じて前記受付金額特定手段により特定された前記受付金額から貸与額分を減算し、
前記貸与可能度数特定手段は、前記減算後の受付金額から前記貸与可能度数を特定することを特徴とする遊技用装置。
【請求項３】
遊技機に対応して設けられ、貨幣価値を特定可能な貨幣価値媒体を受付け、該受付けた貨幣価値媒体から受付金額を特定する受付金額特定手段と、該受付金額特定手段により特定した受付金額の範囲内において遊技に使用可能な遊技媒体を貸与する貸与処理を行う貸与処理手段を含む遊技用装置と、該遊技用装置と通信可能であり、前記受付金額を管理するとともに前記貸与処理に供された遊技媒体数に応じた金額および該金額に応じた消費税相当額を貸与額として前記受付金額から減額する減額処理手段を含む管理装置と、からなる遊技用システムであって、
前記遊技用装置は、
前記受付金額を表示する受付金額表示部と、
該受付金額表示部に対して受付金額を表示させる制御を行う受付金額表示制御手段と、
前記貸与可能度数を表示するための表示信号を前記対応する遊技機に対して出力する度数表示信号出力手段と、を備え、
前記管理装置は、
前記貸与額を記憶する貸与額記憶手段と、
前記貸与額から前記受付金額に対する貸与可能度数を特定する貸与可能度数特定手段と、を備え、
前記減額処理手段は、前記貸与処理手段による前記貸与処理に応じて前記受付金額特定手段により特定された前記受付金額から貸与額分を減算するとともに、前記貸与可能度数特定手段により特定された前記貸与可能度数から貸与度数分を減算することを特徴とする遊技用システム。
【請求項４】
前記遊技用装置は、前記受付金額が残存するときであっても新たな貨幣価値媒体を受付け可能とされ、該残存する受付金額と前記受付けた貨幣価値媒体から特定された受付金額とを加算する加算更新手段をさらに含み、
前記貸与可能度数特定手段は、前記加算後の受付金額に対する貸与可能度数を特定することを特徴とする請求項１または請求項２に記載の遊技用装置。
【請求項５】
前記遊技用装置は、前記受付金額が残存するときであっても新たな貨幣価値媒体を受付け可能とされ、
前記管理装置は、前記残存する受付金額と前記受付けた貨幣価値媒体から特定された受付金額とを加算する加算更新手段をさらに含み、
前記貸与可能度数特定手段は、前記加算後の受付金額に対する貸与可能度数を特定することを特徴とする請求項３記載の遊技用システム。
【請求項６】
前記貸与額を設定する貸与額設定手段をさらに含むことを特徴とする請求項１乃至請求項５のいずれかに記載の遊技用装置および遊技用システム。
【請求項７】
前記貸与処理手段により１度数分に相当する数の遊技媒体の貸与を予め設定された度数になるまで繰り返し行う前記貸与処理を実行し、
前記遊技用装置は、前記貸与処理を中止させるために遊技者が操作可能な中止操作部をさらに含み、
前記貸与処理手段は、前記貸与処理中において前記中止操作部の操作を検出すると、該検出時に貸与中の１度数分の貸与処理が終了していることを条件として当該貸与処理を中止することを特徴とする請求項１乃至請求項６のいずれかに記載の遊技用装置および遊技用システム。
【発明の詳細な説明】
【技術分野】
【０００１】
本発明は、遊技機に対応して設けられ、貨幣価値を特定可能な貨幣価値媒体を受付け、該受付けた貨幣価値媒体から受付金額を特定する受付金額特定手段と、該受付金額特定手段により特定した受付金額の範囲内において遊技に使用可能な遊技媒体を貸与するとともに、該貸与した遊技媒体数に応じた金額および該金額に応じた消費税相当額を貸与額として前記受付金額から減額する貸与処理を行う貸与処理手段と、を含む遊技用装置および遊技用システムに関し、特に、貸与した遊技媒体数に応じた金額および該金額に応じた消費税相当額を考慮した遊技用装置および遊技用システムに関するものである。
【背景技術】
【０００２】
遊技機として、遊技玉などの遊技媒体を発射装置によって遊技領域に発射し、遊技領域に設けられている入賞口などの入賞領域に遊技媒体が入賞すると、所定数の景品遊技媒体が遊技者に払い出されるものがある。このような遊技機では、遊技者は遊技媒体を借りて遊技を行う。
【０００３】
この遊技媒体は、多くの場合、遊技機に付設の遊技用装置を介して、例えば、遊技用装置に現金、若しくは、前払い式証票（プリペイドカード）などの貨幣価値を特定可能な貨幣価値媒体を投入することにより該投入された貨幣価値媒体の範囲内において遊技媒体が貸与される。遊技機が複数種類設置される遊技場においては、遊技用装置のみを設置した形態と、遊技用装置と該遊技用装置と通信可能な管理装置とを含む遊技用システムを設置した形態と、のいずれか一方の形態により遊技用媒体の貸与を行っている。
【０００４】
遊技用装置のみを設置した形態では、遊技用装置に貨幣価値媒体が投入されて遊技媒体の貸与を行う都度、遊技用装置に投入された貨幣価値媒体の受付金額から貸与する遊技媒体数に応じた金額を減算し、減算後の受付金額を遊技用装置に設けられた記憶手段としてのＲＡＭ等に記憶、若しくは、前払い式証票に記録する。
【０００５】
また、遊技用装置と該遊技用装置と通信可能な管理装置とを含む遊技用システムを設置した形態では、遊技用装置にて貨幣価値を特定可能な貨幣価値媒体を受付け、該受付けた貨幣価値媒体により特定した受付金額の範囲内にて遊技媒体の貸与を行う。そして、遊技媒体の貸与を行う都度、管理装置において、遊技用装置に投入された貨幣価値媒体の受付金額から貸与する遊技媒体数に応じた金額を減算し、減算後の受付金額を管理装置に設けられた記憶手段としてのハードディスク、ＲＡＭ等に記憶する。
【０００６】
このような遊技用装置および遊技用システムでは、例えば、１０００円を特定可能な貨幣価値媒体を遊技用装置に投入することにより１０００円の範囲内において遊技媒体が貸与される。すなわち、１０００円分の遊技媒体の貸与が可能となる。このように、従来の遊技用装置および遊技用システムにおいては、遊技媒体を貸与する際、遊技者が間接税である消費税等の端数金額を取り扱う不便を解消することを目的として、これら消費税を遊技場側が肩代わりする形態に対応したものとされていた。そのため、遊技用装置に投入した貨幣価値媒体の全受付金額が遊技に使用できるようにされており、遊技場にて遊技媒体の貸与を行う際の消費税が考慮されていなかった。
【０００７】
このような遊技用装置および遊技用システムにおいて、遊技場側の一方的な消費税負担の問題を解消することを目的として、遊技媒体を貸与する際に遊技用装置に投入された貨幣価値媒体の受付金額から遊技媒体数に応じた金額と、該金額に対する消費税相当額と、を減額するとともに、遊技媒体数に応じた金額と、該金額に対する消費税相当額と、貨幣価値媒体の受付金額と、を遊技機に設けられた表示器にて表示するものがあった（例えば、特許文献１参照）。
【０００８】
さらに、遊技用装置に投入された貨幣価値媒体の受付金額と、景品遊技媒体数に応じた金額および該金額に応じた消費税相当額と、にもとづいて貸与可能度数を特定し、特定した貸与可能度数を表示器にて表示するものがあった（例えば、特許文献２参照）。
【特許文献１】特開平１１−７０２６４号公報（第４−５頁、第４図）
【特許文献２】特開２００４−１３５８１０号公報（第６−８頁、第３図）
【発明の開示】
【発明が解決しようとする課題】
【０００９】
しかし、上記した特許文献１および特許文献２の表示器では、１００円を１度数として残度数を表示することしかできないため、消費税分を加味した遊技媒体の貸与を行う遊技用装置および遊技用システムであると１度数＝１０５円換算となり、貸与の都度、受付金額から１０５円減算されることになるため、このような遊技用装置および遊技用システムに移行するに際して特許文献１および特許文献２の受付金額を表示することにより遊技者の混乱を招くこととなる。
【００１０】
本発明は上記した事情に鑑みなされたものであり、その目的とするところは、遊技者の混乱を招くことなく、受付金額および受付金額に応じた貸与可能度数を表示可能な遊技用装置および遊技用システムを提案することにある。
【課題を解決するための手段】
【００１１】
上記目的を達成するために、請求項１の発明においては、遊技機（例えば、パチンコ機２）に対応して設けられ、貨幣価値を特定可能な貨幣価値媒体（例えば、紙幣、硬貨、プリペイドカード、会員カード、精算カード）を受付け、該受付けた貨幣価値媒体から受付金額を特定する受付金額特定手段（例えば、カードユニット３に搭載されるカードリーダライタ３２７の機能であって、会員カードから残額を読み出す部分と、紙幣識別ユニット３２２および硬貨識別ユニット３２４の機能であって、投入された紙幣および硬貨を識別する部分）と、該受付金額特定手段により特定した受付金額の範囲内において遊技に使用可能な遊技媒体（例えば、パチンコ玉）を貸与するとともに、該貸与した遊技媒体数に応じた金額（例えば、１００円）および該金額に応じた消費税相当額（例えば、５円）を貸与額（例えば、１０５円）として前記受付金額から減額する貸与処理を行う貸与処理手段（例えば、制御ユニット３２８の機能であって、通信手段としての外部Ｉ／Ｏポート３３５を介して貸与指令信号を対応する遊技機としてのパチンコ機２に送信することにより、消費単位額（この実施形態では、１０５円）に相当する玉数（この実施形態では、２５玉）の遊技媒体としてのパチンコ玉を対応するパチンコ機２から払い出させるとともに、会員カードのカード残額、または、紙幣投入口３０２または硬貨投入口３０３から投入された受付金額の残額を消費単位額にもとづいて減算するための貸与処理を行う部分）と、を含む遊技用装置（例えば、カードユニット３）であって、前記貸与額を記憶する貸与額記憶手段（例えば、消費単位額設定データ）と、前記貸与額から前記受付金額に対する貸与可能度数を特定する貸与可能度数特定手段（例えば、制御ユニット３２８の機能であって、カード残額と受付金額の残額との合計を消費単位額としての貸出単位額（本実施形態では、１００円）と、該貸出単位額に対応する消費税額（本実施形態では、５円）と、の合計で除した商を度数として特定する部分）と、前記受付金額を表示する受付金額表示部（例えば、残金額表示部３０９）と、該受付金額表示部に対して受付金額を表示させる制御を行う受付金額表示制御手段（例えば、制御ユニット３２８の機能であって、ＲＡＭ３２８ｃに記憶される残額にもとづいて残額表示器３０９ａを表示制御する部分）と、前記貸与可能度数を表示するための表示信号を前記対応する遊技機に対して出力する度数表示信号出力手段（例えば、制御ユニット３２８の機能であって、ＲＡＭ３２８ｃに記憶される度数にもとづいて度数表示信号を外部Ｉ／Ｏポート３３５を介してパチンコ機２に送信する部分）と、を備え、前記貸与処理手段は、前記貸与処理に応じて前記受付金額特定手段により特定された前記受付金額から貸与額分を減算するとともに、前記貸与可能度数特定手段により特定された前記貸与可能度数から貸与度数分を減算する（例えば、制御ユニット３２８により貸与指令信号をパチンコ機２に送信し、払出完了信号を受信したことにもとづいて消費単位額（１０５円）に相当する貸出玉数である２５玉分の払い出しが不具合なく払い出しが完了したものと判断して、当該貸与（貸出）に供された使用額（１０５円）を、貸与（貸出）以前の残額から減算した値に更新してＲＡＭ３２８ｃに記憶するとともに、当該貸与（貸出）に供された度数（１）を、貸与（貸出）以前の度数、すなわち、ＲＡＭ３２８ｃに記憶されている度数から減算した値に更新してＲＡＭ３２８ｃに記憶する）ことを特徴とする。
【００１２】
また、請求項２の発明においては、遊技機（例えば、パチンコ機２）に対応して設けられ、貨幣価値を特定可能な貨幣価値媒体（例えば、紙幣、硬貨、プリペイドカード、会員カード、精算カード）を受付け、該受付けた貨幣価値媒体から受付金額を特定する受付金額特定手段（例えば、カードユニット３に搭載されるカードリーダライタ３２７の機能であって、会員カードから残額を読み出す部分と、紙幣識別ユニット３２２および硬貨識別ユニット３２４の機能であって、投入された紙幣および硬貨を識別する部分）と、該受付金額特定手段により特定した受付金額の範囲内において遊技に使用可能な遊技媒体（例えば、パチンコ玉）を貸与するとともに、該貸与した遊技媒体数に応じた金額（例えば、１００円）および該金額に応じた消費税相当額（例えば、５円）を貸与額（例えば、１０５円）として受付金額から減額する貸与処理を行う貸与処理手段（例えば、制御ユニット３２８の機能であって、通信手段としての外部Ｉ／Ｏポート３３５を介して貸与指令信号を対応する遊技機としてのパチンコ機２に送信することにより、消費単位額（この実施形態では、１０５円）に相当する玉数（この実施形態では、２５玉）の遊技媒体としてのパチンコ玉を対応するパチンコ機２から払い出させるとともに、会員カードのカード残額、または、紙幣投入口３０２または硬貨投入口３０３から投入された受付金額の残額を消費単位額にもとづいて減算するための貸与処理を行う部分）と、を含む遊技用装置（例えば、カードユニット３）であって、前記貸与額を記憶する貸与額記憶手段（例えば、消費単位額設定データ）と、受付けた貨幣価値媒体から受付金額を特定する受付金額特定手段（例えば、カードユニット３に搭載されるカードリーダライタ３２７の機能であって、会員カードから残額を読み出す部分と、紙幣識別ユニット３２２および硬貨識別ユニット３２４の機能であって、投入された紙幣および硬貨を識別する部分）と、前記貸与額から前記受付金額に対する貸与可能度数を特定する貸与可能度数特定手段（例えば、制御ユニット３２８の機能であって、カード残額と受付金額の残額との合計を消費単位額としての貸出単位額（本実施形態では、１００円）と、該貸出単位額に対応する消費税額（本実施形態では、５円）と、の合計で除した商を度数として特定する部分）と、前記受付金額を表示する受付金額表示部（例えば、残金額表示部３０９）と、該受付金額表示部に対して受付金額を表示させる制御を行う受付金額表示制御手段（例えば、制御ユニット３２８の機能であって、ＲＡＭ３２８ｃに記憶される残額にもとづいて残額表示器３０９ａを表示制御する部分）と、前記貸与可能度数を表示するための表示信号を前記対応する遊技機に対して出力する度数表示信号出力手段（例えば、制御ユニット３２８の機能であって、ＲＡＭ３２８ｃに記憶される度数にもとづいて度数表示信号を外部Ｉ／Ｏポート３３５を介してパチンコ機２に送信する部分と、を備え、前記貸与処理手段は、前記貸与処理に応じて前記受付金額特定手段により特定された前記受付金額から貸与額分を減算し（例えば、制御ユニット３２８により貸与指令信号をパチンコ機２に送信し、払出完了信号を受信したことにもとづいて消費単位額（１０５円）に相当する貸出玉数である２５玉分の払い出しが不具合なく払い出しが完了したものと判断して、当該貸与（貸出）に供された使用額（１０５円）を、貸与（貸出）以前の残額から減算した値に更新してＲＡＭ３２８ｃに記憶する）、前記貸与可能度数特定手段は、前記減算後の受付金額から前記貸与可能度数を特定することを特徴とする（例えば、減算更新後の受付金額の残額を消費単位額である１０５円で除した商を減算更新後の度数として特定する）。
【００１３】
また、請求項３の発明においては、遊技機（例えば、パチンコ機２）に対応して設けられ、貨幣価値を特定可能な貨幣価値媒体（例えば、紙幣、硬貨、プリペイドカード、会員カード、精算カード）を受付け、該受付けた貨幣価値媒体から受付金額を特定する受付金額特定手段（例えば、カードユニット３に搭載されるカードリーダライタ３２７の機能であって、会員カードから残額を読み出す部分と、紙幣識別ユニット３２２および硬貨識別ユニット３２４の機能であって、投入された紙幣および硬貨を識別する部分）と、該受付金額特定手段により特定した受付金額の範囲内において遊技に使用可能な遊技媒体（例えば、パチンコ玉）を貸与する貸与処理を行う貸与処理手段（例えば、制御ユニット３２８の機能であって、通信手段としての外部Ｉ／Ｏポート３３５を介して貸与指令信号を対応する遊技機としてのパチンコ機２に送信することにより、消費単位額（この実施形態では、１０５円）に相当する玉数（この実施形態では、２５玉）の遊技媒体としてのパチンコ玉を対応するパチンコ機２から払い出させる部分）を含む遊技用装置（例えば、カードユニット３）と、該遊技用装置と通信可能であり、前記受付金額を管理するとともに前記貸与処理に供された遊技媒体数に応じた金額（例えば、１００円）および該金額に応じた消費税相当額（例えば、５円）を貸与額（例えば、１０５円）として前記受付金額から減額する減額処理手段（例えば、システムコントローラ１００のＣＰＵ１１３の機能であって、会員カードのカード残額と、紙幣投入口３０２または硬貨投入口３０３から投入された受付金額の残額との合計を消費単位額にもとづいて減算する部分）を含む管理装置（例えば、システムコントローラ）と、からなる遊技用システムであって、前記遊技用装置は、前記受付金額を表示する受付金額表示部（例えば、残金額表示部３０９）と、該受付金額表示部に対して受付金額を表示させる制御を行う受付金額表示制御手段（例えば、制御ユニット３２８の機能であって、ＲＡＭ３２８ｃに記憶される残額にもとづいて残額表示器３０９ａを表示制御する部分）と、前記貸与可能度数を表示するための表示信号を前記対応する遊技機に対して出力する度数表示信号出力手段（例えば、制御ユニット３２８の機能であって、ＲＡＭ３２８ｃに記憶される度数にもとづいて度数表示信号を外部Ｉ／Ｏポート３３５を介してパチンコ機２に送信する部分）と、を備え、前記管理装置は、前記貸与額を記憶する貸与額記憶手段（例えば、記憶装置１０９の機能であって、消費単位額テーブルを記憶する部分）と、前記貸与額から前記受付金額に対する貸与可能度数を特定する貸与可能度数特定手段（例えば、システムコントローラ１００のＣＰＵ１１３の機能であって、記憶装置１０９または会員データテーブルにおける残額を消費単位額としての貸出単位額（本実施形態では、１００円）と、該貸出単位額に対応する消費税額（本実施形態では、５円）と、の合計で除した商を度数として特定する部分）と、を備え、前記減額処理手段は、前記貸与処理手段による前記貸与処理に応じて前記受付金額特定手段により特定された前記受付金額から貸与額分を減算するとともに、前記貸与可能度数特定手段により特定された前記貸与可能度数から貸与度数分を減算することを特徴とする（例えば、システムコントローラ１００のＣＰＵ１１３は、カードユニット３からの貸出完了情報を受信したことにもとづいて当該貸与に供された使用額（１０５円）を、貸与以前の残額、から減算した値に更新するとともに、当該貸与に供された度数（１）を、貸与以前の度数から減算した値に更新する）。
【００１４】
また、請求項４の発明においては、前記遊技用装置は、前記受付金額が残存するときであっても新たな貨幣価値媒体を受付け可能とされ、該残存する受付金額と前記受付けた貨幣価値媒体から特定された受付金額とを加算する加算更新手段（例えば、制御ユニット３２８の機能であって、会員カード受付中、または、紙幣投入口３０２または硬貨投入口３０３から投入された受付金額の残額が０でない場合であり、紙幣（１０００円紙幣、２０００円紙幣、５０００円紙幣、１００００円紙幣）または、硬貨（１００円硬貨、５００円硬貨）が投入されて識別された場合に、この識別された識別金額をカードリーダライタ３２７に受付けられている会員カードのカード残額、または、紙幣投入口３０２または硬貨投入口３０３から投入された受付金額の残額に加算する部分）をさらに含み、前記貸与可能度数特定手段は、前記加算後の受付金額に対する貸与可能度数を特定する（例えば、加算更新後の残額を消費単位額である１０５円で除した商を加算後の度数として特定する）ことを特徴とする。
【００１５】
また、請求項５の発明においては、前記遊技用装置は、前記受付金額が残存するときであっても新たな貨幣価値媒体を受付け可能とされ、前記管理装置は、前記残存する受付金額と前記受付けた貨幣価値媒体から特定された受付金額とを加算する加算更新手段（例えば、システムコントローラ１００のＣＰＵ１１３の機能であって、会員カード受付中、または、紙幣投入口３０２または硬貨投入口３０３から投入された受付金額の残額が０でない場合であり、紙幣（１０００円紙幣、２０００円紙幣、５０００円紙幣、１００００円紙幣）または、硬貨（１００円硬貨、５００円硬貨）が投入されて識別された場合に、この識別された識別金額を記憶装置１０９、または、会員データテーブルの残額に加算する部分）をさらに含み、前記貸与可能度数特定手段は、前記加算後の受付金額に対する貸与可能度数を特定することを特徴とする（例えば、加算後の記憶装置１０９、または、会員データテーブルの残額を消費単位額である１０５円で除した商を加算後の度数として特定する）。
【００１６】
また、請求項６の発明においては、前記貸与額を設定する貸与額設定手段（例えば、制御ユニット３２８の機能であって、貸出単位設定ボタン３０６により設定された貸出単位度数を設定する部分）をさらに含むことを特徴とする。
【００１７】
また、請求項７の発明においては、前記貸与処理手段により１度数分に相当する数の遊技媒体の貸与を予め設定された度数になるまで繰り返し行う前記貸与処理を実行し、前記遊技用装置は、前記貸与処理を中止させるために遊技者が操作可能な中止操作部（貸出中止ボタン）をさらに含み、前記貸与処理手段は、前記貸与処理中において前記中止操作部の操作を検出すると、該検出時に貸与中の１度数分の貸与処理が終了していることを条件として当該貸与処理を中止することを特徴とする（例えば、貸出中止ボタンの操作が検出されたことにより払い出し完了信号を受信した後に貸出単位カウンタのカウンタ値が０でない場合であってもパチンコ機２に貸与指令信号を送信しないようにすることで切り良く（１度数分のパチンコ球の払い出しが終了したときに）払い出しを中止させる）。
【発明の効果】
【００１８】
請求項１に係る発明においては、貸与した遊技媒体数に応じた金額および該金額に応じた消費税相当額としての貸与額から遊技用装置が受付けた受付金額に対する貸与可能度数を特定し、貸与可能度数を表示するための表示信号を対応する遊技機に対して出力するため、遊技機の貸与可能度数の表示により貸与可能度数を現状どおり把握できる。また、遊技用装置が受付けた受付金額を遊技用装置の受付金額表示部にて表示するため、受付金額を１円単位まで把握できる。さらに、貸与処理に応じて特定された受付金額から貸与額分を減算するとともに、特定された貸与可能度数から貸与度数分を減算することにより、貸与処理後の受付金額を受付金額表示部にて表示できるとともに、遊技機の貸与可能度数の表示により貸与処理後の貸与可能度数を表示できるため、消費税を考慮した場合であっても貸与可能度数および受付金額を現状どおり把握できる。
【００１９】
また、請求項２に係る発明においては、貸与した遊技媒体数に応じた金額および該金額に応じた消費税相当額としての貸与額から遊技用装置が受付けた受付金額に対する貸与可能度数を特定し、貸与可能度数を表示するための表示信号を対応する遊技機に対して出力するため、遊技機の貸与可能度数の表示により貸与可能度数を現状どおり把握できる。さらに、貸与処理に応じて特定された受付金額から貸与額分を減算するとともに、減算後の受付金額から貸与可能度数を特定することにより貸与処理後の受付金額を受付金額表示部にて表示できるとともに、遊技機の貸与可能度数の表示により貸与処理後の貸与可能度数を表示できるため、消費税を考慮した場合であっても貸与可能度数および受付金額を現状どおり把握できる。
【００２０】
また、請求項３に係る発明においては、貸与した遊技媒体数に応じた金額および該金額に応じた消費税相当額としての貸与額から遊技用装置が受付けた受付金額に対する貸与可能度数を特定し、貸与可能度数を表示するための表示信号を対応する遊技機に対して出力するため、遊技機の貸与可能度数の表示により貸与可能度数を現状どおり把握できる。さらに、貸与処理に応じて特定された受付金額から貸与額分を減算するとともに、特定された貸与可能度数から貸与度数分を減算することにより、貸与処理後の受付金額を受付金額表示部にて表示できるとともに、遊技機の貸与可能度数の表示により貸与処理後の貸与可能度数を表示できるため、消費税を考慮した場合であっても貸与可能度数および受付金額を現状どおり把握できる。
【００２１】
また、請求項４に係る発明においては、受付金額が残存するときに遊技用装置にて新たな貨幣価値媒体を受付けた場合に加算更新手段により該残存する受付金額と貨幣価値媒体から特定された受付金額とを加算し、貸与可能度数特定手段により加算後の受付金額に対する貸与可能度数を特定するため、加算更新手段により受付金額が更新されたときであっても遊技者が更新後の受付金額および貸与可能度数を特定できる。
【００２２】
また、請求項５に係る発明においては、受付金額が残存するときに遊技用装置にて新たな貨幣価値媒体を受付けた場合に加算更新手段により該残存する受付金額と貨幣価値媒体から特定された受付金額とを加算し、貸与可能度数特定手段により加算後の受付金額に対する貸与可能度数を特定するため、加算更新手段により受付金額が更新されたときであっても遊技者が更新後の受付金額および貸与可能度数を特定できる。
【００２３】
また、請求項６に係る発明においては、貸与額を設定する貸与額設定手段を含むため、間接税としての消費税率が変更されても変更税率に対応できる。
【００２４】
また、請求項７に係る発明においては、貸与処理手段が貸与処理中において中止操作部の操作を検出すると、該検出時に貸与中の１度数分の貸与処理が終了していることを条件として当該貸与処理を中止するため、貸与処理中に大当り等が発生することにより遊技者が任意に貸与処理を中止したいときであっても貸与処理を中止できるとともに、中止の条件が１度数分の貸与処理が終了したことが条件であるため、従来の遊技機に対しても中止処理を行うことができる。
【発明を実施するための最良の形態】
【００２５】
（第１実施形態）
以下、本発明の一実施形態について図面を参照して説明する。
【００２６】
まず、第１実施形態における遊技場の構成について説明する。図１は、遊技用装置としてのカードユニット３を備えた遊技場の概略図である。なお、以下の実施の形態では、パチンコ機が複数種類設置される遊技場にてパチンコ玉の貸与を行う遊技用装置について説明するが、本発明に関わる遊技用装置は、パチンコ機に限らず、スロットマシンなどの他の遊技機が設置された場合であっても適用できる。遊技機としてスロットマシンを用いた場合には、遊技媒体としてメダル（コイン）を用いるように構成してもよい。
【００２７】
本実施形態における遊技場には、複数配置された図示しない遊技島に並設される遊技機としてのパチンコ機２と、該パチンコ機２に対して１対１対応して設置される本発明の遊技用装置としてのカードユニット３と、後述する会員カードおよび精算カードに残存する金額を現金に精算する精算処理を行う精算装置２３と、が設置されている。
【００２８】
また、本実施形態におけるカードユニット３は、通信回線１１を介してカード管理会社に設置された管理サーバ１４０とデータ通信可能に接続されており、カードユニット３それぞれにおけるＲＡＭ３２８ｃに記憶、管理されている各種情報を含む営業情報が管理サーバ１４０に送信されることで、管理サーバ１４０にて各遊技場の売上げが管理される。
【００２９】
また、本実施形態のカードユニット３は、対応するパチンコ機２と直接接続されており、カードユニット３と対応する該パチンコ機２との間で、パチンコ玉の貸与（貸出）に関する各種の信号の送受が可能とされているとともに、対応するパチンコ機２から出力された払出完了信号が入力されるようになっている（図３参照）。
【００３０】
遊技場内に設置されたカードユニット３および精算装置２３は、通信ケーブル８を介して双方向のデータ通信が可能に接続され、これら各接続装置にはそれぞれローカルＩＰアドレスが付与されてローカルエリアネットワーク（ＬＡＮ）が形成されている。また、該ローカルエリアネットワーク（ＬＡＮ）に接続されている各装置には、当該装置を個々に識別可能な装置ＩＤが付与されており、各装置が装置ＩＤとローカルＩＰアドレスとが対応付けられたＩＰアドレステーブルを有することで、装置ＩＤからローカルＩＰアドレスを特定して、当該装置ＩＤの装置との送受信を実施できるようになっている。
【００３１】
次に、本実施形態で用いた会員カードについて簡潔に説明する。この実施の形態では、各々の遊技場にて個別に発行される会員カードを用いてカードユニット３から遊技媒体としてのパチンコ玉の貸出（貸与）を行うことが可能である。この会員カードには、カードユニット３内に設けられている後述のカードリーダライタ３２７と非接触にてデータ通信を行うことが可能な非接触式ＩＣカードが適用されている。
【００３２】
この非接触式ＩＣカードの内部メモリには、各会員カードを個別に識別可能なカードＩＤが書き換え不可に記録されているとともに、遊技媒体であるパチンコ玉の貸出（貸与）に使用される遊技者所有の残額（残金額）、貯玉数が書き換え可能に記録されている。カードユニット３に会員カードが挿入されると、カードリーダライタ３２７にて当該会員カードに記録されるカードＩＤ、カード残額（カード残金額）、および、貯玉数を読み出す。カードユニット３に会員カードが挿入されることにより、当該会員カードから読み出したカード残額および貯玉数の貸出（貸与）が可能となる。すなわち、実施形態１においては、会員カードに記録されているカード残額自体がパチンコ玉の貸出（貸与）に使用される遊技者特有の残額を特定可能な記録情報とされている。
【００３３】
次に、本実施形態に用いた遊技用装置であるカードユニット３について図２を参照して説明する。上述したように、カードユニット３は遊技島に並設される遊技機としてのパチンコ機２に１対１に対応して設置されている。
【００３４】
カードユニット３の前面には、図２に示すように、各種表示部や操作ボタン、紙幣投入口３０２、硬貨投入口３０３、硬貨返却口３１３、カード挿入口３１９が設けられている。
【００３５】
カードユニット３の前面に設けられた表示部のうち、多機能表示部３０１は、内部に設けられた多機能ＬＥＤ３０１ａ（図３参照）の発光態様によりカードユニット３の動作状況等が報知される。貸出単位設定表示部３０５は、後述する貸与（貸出）処理における貸出単位度数（１回の貸出操作で使用される使用額の単位）の変更が可能である場合に、その内部に設けられた変更可能ＬＥＤ３０５ａ（図３参照）が点灯する。
【００３６】
貸出単位度数表示部３０７は、内蔵された貸出単位表示器３０７ａ（図３参照）により上述した貸出単位度数が表示される表示部であり、残金額表示部３０９は、受付けた会員カードから読み出したカード残額と、紙幣投入口３０２または硬貨投入口３０３から投入された受付金額の残額と、の総額が表示される残額表示器３０９ａ（図３参照）を内蔵した表示部である。なお、残金額表示部３０９に残額表示がなされている場合、すなわち、カード残額と、受付金額の残額と、の総額が０でないときに紙幣投入口３０２から紙幣の受付があったとき、または硬貨投入口３０３から硬貨の受付があったとき、には、紙幣投入口３０２または硬貨投入口３０３における紙幣または硬貨の受付け以前の総額と、紙幣投入口３０２または硬貨投入口３０３における受付金額と、の和を総額として残金額表示部３０９に表示する。また、カード残額と、受付金額と、の総額が０でないときにパチンコ玉の貸与を行った場合には、残金額表示部３０９に表示される残額を貸与したパチンコ玉の玉数に応じて減算し、減算後の残額を表示する。
【００３７】
方向指示表示部３１１は、当該カードユニット３と対応するパチンコ機２の連結方向を示す表示部であり、カードユニット３がパチンコ機２と接続されている場合に内部に設けられた方向指示ＬＥＤ３１１ａ（図３参照）が点灯する。カード挿入中表示部３１２は、会員カードがカード挿入口３１９に挿入中である場合に内部に設けられた挿入中ＬＥＤ３１２ａ（図３参照）が点灯する。
【００３８】
さらに、この実施形態では、図４に示されるように、パチンコ機２には、カード挿入口３１９に受付けられた会員カードから読み出されたカード残額と、紙幣投入口３０２または硬貨投入口３０３から投入された受付金額の残額と、の総額を消費単位額としての後述する貸与（貸出）処理にて使用する際の単位額である貸出単位額（本実施形態では、１００円）と、該貸出単位額に対応する消費税額（本実施形態では、５円）と、の合計（本実施形態では、１０５円）で除した商（例えば、カード残額または受付金額の残額が１００００円であれば、１００００÷１０５＝９５．２３・・・）の整数部分（この例では９５）を度数（貸与可能度数、本実施形態では、１０５円＝１度数）として表示する度数表示部２ａが設けられている。
【００３９】
なお、度数表示部２ａに表示される度数が０であってもカード残額と受付金額の残額との総額が０であるとは限らない。すなわち、カード残額と受付金額の残額との総額が１円以上１０５円未満である場合には、度数表示部２ａに表示される度数は０となり、遊技者に不信感を与えてしまう。この実施の形態では、上述した残金額表示部３０９にてカード残額と受付金額の残額との総額を表示するため、カード残額と受付金額の残額との総額が１円以上１０５円未満となり度数表示部２ａにて表示される度数が０となる場合であっても遊技者に不信感を与えることがない。
【００４０】
また、本実施形態におけるカードユニット３では、カード挿入口３１９に受付けられた会員カードから読み出されたカード残額、および紙幣投入口３０２または硬貨投入口３０３から投入された受付金額の残額、との総額を消費単位額で除した商を度数として度数表示部２ａに表示させる旨の度数表示信号を後述する制御ユニット３２８から外部Ｉ／Ｏポート３３５を介してパチンコ機２に出力する。なお、度数表示信号は、度数表示部２ａに表示させる度数に応じて複数種類設けられ、パチンコ機２に搭載される制御手段（例えば、ＣＰＵ）が度数表示信号を受信したことにもとづいて受信した度数表示信号に応じた度数表示を行うように度数表示部２ａを表示制御する。
【００４１】
カードユニット３の前面に設けられたボタンのうち、硬貨返却ボタン３０４は、硬貨投入口３０３から投入された硬貨が詰まった場合等において、硬貨を硬貨返却口３１３に返却させる際に押圧するボタンである。貸出単位設定ボタン３０６は、貸出単位度数を設定する際に押圧するボタンであり、該ボタンの操作に応じて、１０５円（１０５円×１）、３１５円（１０５円×３）、５２５円（１０５円×５）、１０５０円（１０５円×１０）を消費単位額（１０５円）で除算した数値が貸出単位度数（１０５円＝１度数、３１５円＝３度数、５２５円＝５度数、１０５０円＝１０度数）として、順次、貸出単位度数表示部３０７に表示されるようになっており、遊技者は、所望する貸出単位度数を貸出単位度数表示部３０７に表示させることで貸出単位度数を選択できるようになっている。
【００４２】
すなわち、後述する貸与処理においては、１回の貸出操作にもとづいて、消費単位額（１０５円）に相当する玉数（本実施形態では、２５玉）の払い出しが、貸出単位度数表示部３０７に表示された貸出単位度数に相当する回数分（例えば、貸出単位度数が１度数であれば1回、３度数であれば３回、５度数であれば５回、１０度数であれば１０回）繰り返し実行されるようになっている。なお、本実施形態では、貸出単位度数表示部３０７に表示される貸出単位度数の初期値としては５度数（５２５円）が表示されるようになっており、貸出単位度数が５度数（５２５円）で良ければ、遊技者は貸出単位設定ボタン３０６を操作する必要はない。
【００４３】
カード挿入口３１９は、内蔵されるカードリーダライタ３２７（図３参照）のカードスロット（図示しない）に連設されており、このカード挿入口３１９を介して会員カードをカードスロットに挿入可能とされている。
【００４４】
図３は、この実施形態のカードユニット３の構成を示すブロック図である。カードユニット３は、会員カードの記憶情報の読み取り並びに書き込みを行うカードリーダライタ３２７と、カードユニット３全体の動作制御を行う制御ユニット３２８と、から主に構成されている。
【００４５】
つまり、カードリーダライタ３２７は、遊技者所有のカード残額を特定可能な記録情報としてのカードＩＤやカード残額が記録された記録媒体としての会員カードを受付けて、該受付けた会員カードに記録されている記録情報（カードＩＤやカード残額）を読み出す読出手段を構成している。
【００４６】
実施形態１の制御ユニット３２８には、図３に示すように、制御ユニット３２８が行う後述の各種処理内容が記述された処理プログラムや装置ＩＤ等の情報が記憶されたＲＯＭ３２８ｂや、該ＲＯＭ３２８ｂに記憶されている処理プログラムにもとづいて各種の処理やカードユニット３の制御を実施するＣＰＵ３２８ａや、該ＣＰＵ３２８ａの各種処理にワークメモリとして使用されるとともに、後述する消費単位額設定部３２０により設定した消費単位額設定データが記憶されるＲＡＭ３２８ｃが設けられているとともに、ＨＵＢ８’を介して精算装置２３とのデータ通信を行うための通信部３３４が設けられていて、該通信部３３４を介して精算カードの残額の照合等が精算装置２３とカードユニット３との間で行われる。
【００４７】
また、制御ユニット３２８には、外部Ｉ／Ｏポート３３５が設けられており、該外部Ｉ／Ｏポート３３５を介して対応するパチンコ機２と接続されており、該パチンコ機２との間の貸与処理において、消費単位額分の貸与を指令する貸与指令信号の出力や、該貸与指令信号にもとづくパチンコ玉の払い出しが完了したときにパチンコ機２から出力される払出完了信号の入力が可能とされている。
【００４８】
すなわち、遊技者がパチンコ玉の貸与を行う際、パチンコ機２に設けられている貸出ボタン（図示しない）を押圧することにより操作信号が制御ユニット３２８に入力される。つまり、パチンコ機２に設けられている貸出ボタンからの信号は外部Ｉ／Ｏポート３３５を介して制御ユニット３２８に入力される。そして、制御ユニット３２８では、貸出ボタンからの操作信号が入力されたことにもとづいて外部Ｉ／Ｏポート３３５を介してパチンコ機２に貸与指令信号を送信し、パチンコ機２では、貸与指令信号を受信したことにもとづいて貸与指令信号に応じた玉数のパチンコ玉の払い出しを行う。
【００４９】
このように、制御ユニット３２８並びに外部Ｉ／Ｏポート３３５は、遊技機としてのパチンコ機２と通信するための通信手段を構成し、制御ユニット３２８からの貸与指令信号にもとづいてパチンコ機２にてパチンコ玉の払い出しを行う。
【００５０】
また、制御ユニット３２８には、上述した各種ＬＥＤや表示器、スイッチ等の各種電気部品、紙幣投入口３０２から投入された紙幣を識別する貨幣識別手段としての紙幣識別ユニット３２２、硬貨投入口３０３から投入された硬貨を識別する硬貨識別手段としての硬貨識別ユニット３２４、が接続されている。なお、制御ユニット３２８に接続された貸出単位設定スイッチ３０６ａは、貸出単位設定ボタン３０６の操作を検知するスイッチである。
【００５１】
また、制御ユニット３２８には、特に図示しないが、接続された対応するパチンコ機２に設けられる貸出ボタン（パチンコ玉の貸与（貸出）を行う際に操作されるボタン）や、返却ボタン（受付け中の会員カードおよび精算カードを返却させる際に操作されるボタン）の操作を検知する貸出スイッチや、返却スイッチが接続されている。
【００５２】
制御ユニット３２８に接続された紙幣識別ユニット３２２は、紙幣投入口３０２に投入された紙幣を取り込んでその真贋や紙幣種別の識別を行う。つまり、紙幣識別ユニット３２２や硬貨識別ユニット３２４は、貨幣としての紙幣や硬貨を受付けて、該受付けた紙幣や硬貨の真贋と紙幣種別とを識別する貨幣識別手段を構成している。
【００５３】
制御ユニット３２８に接続された各種ＬＥＤや表示器は、制御ユニット３２８により制御される。また、制御ユニット３２８は、各種スイッチの検出信号、紙幣識別ユニット３２２および硬貨識別ユニット３２４による識別信号、等を受けて各種の制御を行う。
【００５４】
この実施形態のカードユニット３の制御ユニット３２８は、記録媒体としての会員カードの記録情報としてのカード残額、または、紙幣投入口３０２または硬貨投入口３０３から投入された受付金額の残額を使用して遊技媒体としてのパチンコ玉を貸与（貸出）し、該貸与（貸出）に使用される使用額（貸与使用額）と該使用額に対応する消費税額（使用額に消費税率を乗算した積）との合計額である消費使用額を会員カードのカード残額、または、紙幣投入口３０２または硬貨投入口３０３から投入された受付金額の残額から減算するための貸与処理（貸出処理）を行う貸与処理手段を構成している。
【００５５】
具体的には、本実施形態の制御ユニット３２８は、通信手段としての外部Ｉ／Ｏポート３３５を介して貸与指令信号を対応する遊技機としてのパチンコ機２に送信することにより、消費単位額（この実施形態では、１０５円）に相当する玉数（この実施形態では、２５玉）の遊技媒体としてのパチンコ玉を対応するパチンコ機２から払い出させるとともに、会員カードのカード残額、または、紙幣投入口３０２または硬貨投入口３０３から投入された受付金額の残額を消費単位額にもとづいて減算するための貸与処理を行う貸与処理手段を構成している。
【００５６】
なお、この貸与処理においては、１回の貸出操作にもとづいて消費単位額に相当する玉数のパチンコ玉の貸与（貸出）を繰り返し行うことで遊技者により選択されている貸出単位度数に対応する玉数のパチンコ玉の貸与（貸出）を実施する。
【００５７】
また、この実施形態の制御ユニット３２８は、会員カード受付中、または、紙幣投入口３０２または硬貨投入口３０３から投入された受付金額の残額が０でない場合であり、紙幣（１０００円紙幣、２０００円紙幣、５０００円紙幣、１００００円紙幣）または、硬貨（１００円硬貨、５００円硬貨）が投入されて識別された場合に、この識別された識別金額をカードリーダライタ３２７に受付けられている会員カードのカード残額、または、紙幣投入口３０２または硬貨投入口３０３から投入された受付金額の残額に加算する入金処理を実施する加算更新手段を構成している。
【００５８】
さらに、この実施形態では、ディップスイッチ等により構成される消費単位額設定部３２０が制御ユニットに接続される。消費単位額設定部３２０は、消費税率に対応する消費単位額を設定する貸与額設定手段を構成し、この消費単位額設定部３２０により消費税率が変更されての変更後の消費税率に応じた消費単位額を設定することが可能となる。具体的には、消費税率と、玉単価と、貸出単位額と、をセットすることにより、制御ユニット３２８により消費単位額が算出されてＲＡＭ３２８ｃにおける後述する消費単位額設定データとして記憶される。この実施の形態では、消費税率、玉単価、貸出単位額をそれぞれ別々にセットされるため、消費税率の変更、玉単価の変更にも対応できる。なお、これに限らず、例えば、貸出単位額として１０５円、１０７円のように消費税額を含んだ貸出単位額を一括設定するように消費単位額設定部３２０を構成してもよい。
【００５９】
また、消費単位額設定部３２０により設定した消費単位額は制御ユニット３２８のＲＡＭ３２８ｃに消費単位額設定データとして記憶され、制御ユニット３２８は、上述した貸与処理にて、会員カードのカード残額、または、紙幣投入口３０２または硬貨投入口３０３から投入された受付金額の残額を消費単位額設定データに設定された消費単位額にもとづいて減算する。
【００６０】
なお、消費単位額設定部３２０により消費単位額を変更した際には、管理サーバ１４０に消費単位額設定データが送信され、管理サーバ１４０にて現行の消費税率に対応した消費単位額であるか否かの判定を行う。このとき、管理サーバ１４０からの認証が得られたことにもとづいて（例えば、管理サーバ１４０からの認証信号が入力されたことにもとづいて）カードユニット３にて貸与処理を実行可能となるように構成してもよい。
【００６１】
また、本実施形態では、制御ユニット３２８に搭載されるＲＡＭ３２８ｃに紙幣投入口３０２および硬貨投入口３０３から投入された受付金額の総額としての入金金額と、貸与したパチンコ玉の玉数に応じた消費単位額の合計である使用金額と、が累積して記憶され、これらの情報が管理サーバ１４０に送信され、管理サーバにて個別に管理される。なお、制御ユニット３２８に搭載されるＲＡＭ３２８ｃに記憶された入金金額および使用金額は、１日に一度、カードユニットの起動処理にてリセットされる。すなわち、ＲＡＭ３２８ｃには、１日の入金金額の合計および使用金額の合計が記憶される。
【００６２】
次に、上述したカードユニット３にてパチンコ玉の貸与処理の流れについて説明する。図５は、会員カードを所持していない遊技者が紙幣または硬貨を用いてパチンコ玉の貸与を行う際に実行される処理のタイミングチャートである。
【００６３】
カードユニット３の紙幣投入口３０２および硬貨投入口３０３から紙幣または硬貨が投入されると（ここでは説明上１００００円が投入されたとする）、紙幣識別ユニット３２２または硬貨識別ユニット３２４により識別されて、該識別結果（紙幣種別または硬貨種別）が残額として制御ユニット３２８に搭載されるＲＡＭ３２８ｃに記憶される。そして、制御ユニット３２８によりＲＡＭ３２８ｃに記憶される紙幣投入口３０２および硬貨投入口３０３から投入された受付金額の残額にもとづいて度数を特定し、特定した度数をＲＡＭ３２８ｃに記憶する。すなわち、紙幣投入口３０２および硬貨投入口３０３から投入された受付金額の残額（ここでは、１００００円）を消費単位額としての貸出単位額（本実施形態では、１００円）と、該貸出単位額に対応する消費税額（本実施形態では、５円）と、の合計で除した商（ここでは、９５）を度数として更新し、ＲＡＭ３２８ｃに記憶する。
【００６４】
また、カードユニット３の制御ユニット３２８から外部Ｉ／Ｏポート３３５を介してパチンコ機２にＲＡＭ３２８ｃに記憶される度数（ここでは、９５）の表示を指示する度数表示信号が送信され、該度数表示信号を受信したことにもとづいてパチンコ機２に搭載される制御手段により度数表示部２ａにて当該度数表示信号に応じた度数表示を行う。さらに、カードユニット３の制御ユニット３２８は、残金額表示部３０９にてＲＡＭ３２８に記憶される残額表示（ここでは、１００００円）を行う。
【００６５】
そして、変更可能ＬＥＤ３０５ａを点灯状態として、貸出単位度数の設定が可能であることを報知するとともに、貸出単位設定ボタン３０６の操作並びに対応するパチンコ機２に設けられている図示しない貸出ボタンや返却ボタンの操作を有効として貸出単位度数の選択や、貸出操作や返却操作の受付を可能とする。
【００６６】
ここで貸出単位設定ボタン３０６の操作を受付けた場合には、制御ユニット３２８は、貸出単位設定ボタン３０６の操作に応じて遊技者が貸出単位度数表示部３０７に表示させた貸出単位度数を設定した後、処理を終了して再び貨幣の受付けを確認する処理が開始される。なお、ここでは、貸出単位度数として５度数（５２５円）が設定されているとして以下説明する。
【００６７】
また、パチンコ機２に設けられている図示しない返却ボタンが操作を受付けた場合には、制御ユニット３２８は、その時点でＲＡＭ３２８ｃに記憶されている残額を精算カードに記録して精算カードを排出する。この精算カードに残存する金額は精算カードが発行された当日に限り精算装置２３にて現金に精算可能となっている。また、精算カードには残額を特定可能なカードＩＤが記録されており、カードユニット３にて精算カードを排出するときに制御ユニット３２８は、該カードＩＤと、残額と、を示す情報を精算装置２３に出力する。精算装置２３では、制御ユニット３２８からのカードＩＤと、残額と、を示す情報が入力されたことにもとづいて記憶手段（ＲＡＭ等）に記憶し、精算装置２３に精算カードが挿入されると、該精算カードのカードＩＤと残額とを読み出し、精算カードから読み出した残額と、精算装置２３の記憶手段に当該カードＩＤに対応して記憶される残額と、を照合し、合致したときに現金を払い出す。
【００６８】
なお、精算カードを用いて再遊技可能としてもよく、この場合には、カード挿入口３１９に精算カードを挿入し、返却ボタンが操作されたときに再び当該精算カードに残額を記録して排出する。また、制御ユニット３２８から精算装置２３に当該精算カードのカードＩＤと、残額と、示す情報を送信し、精算装置２３にて記憶手段に記憶されている情報を更新（書き換え）するように構成してもよい。
【００６９】
また、パチンコ機２に設けられている図示しない貸出ボタンの操作を受付けた場合には、制御ユニット３２８は、消費単位額（１０５円）分のパチンコ玉（２５玉）の貸与を指令する貸与指令信号を、外部Ｉ／Ｏポート３３５から対応するパチンコ機２に対して出力することでパチンコ機２にてパチンコ玉の払い出しが開始される。なお、ここでは、貸出単位度数が５度数（５２５円）に設定されていることから、上述した貸与指令信号の出力が貸出単位度数に相当する５回分行うとして図示しない貸出単位カウンタに回数を示すカウンタ値である５をセットする。
【００７０】
パチンコ機２からは、２５玉のパチンコ玉の払い出し毎に払出完了信号が出力されるようになっており、該１パルスの信号が外部Ｉ／Ｏポート３３５から入力されることにもとづいて制御ユニット３２８は、該１パルスの信号の入力毎に貸出単位カウンタのカウンタ値を１ずつ減算更新し、該カウンタ値が０となったかを監視する。
【００７１】
払出完了信号を受信した場合に制御ユニット３２８は、消費単位額（１０５円）に相当する貸出玉数である２５玉分の払い出しが不具合なく払い出しが完了したものと判断して、当該貸与（貸出）に供された使用額（１０５円）を、貸与（貸出）以前の残額、すなわち、ＲＡＭ３２８ｃに記憶されている残額（１００００円）から減算した値に更新してＲＡＭ３２８ｃに記憶する。つまり、制御ユニット３２８は、受付金額の残額を消費単位額である１０５円にもとづいて減算更新している。
【００７２】
また、制御ユニット３２８は、払出完了信号を受信したときに、消費単位額（１０５円）に相当する貸出玉数である２５玉分の払い出しが不具合なく払い出しが完了したものと判断して、当該貸与（貸出）に供された度数（１）を、貸与（貸出）以前の度数、すなわち、ＲＡＭ３２８ｃに記憶されている度数（９５）から減算した値（９４）に更新してＲＡＭ３２８ｃに記憶する。
【００７３】
なお、この実施形態では、ＲＡＭ３２８ｃに記憶される度数（９５）から貸与に供された度数（１）を減算することにより消費単位額に相当する貸出玉数の払い出しが行われた後の度数（９４）を特定する構成としているが、変形例として示す方法により度数を特定するようにしてもよい。すなわち、減算更新後の受付金額の残額（９８９５）を消費単位額である１０５円で除した商（９４）を減算更新後の度数として特定するように構成してもよい。
【００７４】
次いで、制御ユニット３２８は、残金額表示部３０９の表示を減算後の残額に更新するとともに、減算後の度数を示す度数表示信号を外部Ｉ／Ｏポートを介してパチンコ機２に送信し、度数表示部２ａにて実行される度数表示を当該度数表示信号に応じた値に更新させる。また、貸出単位カウンタから１を減算し、減算後のカウンタ値が０でなければ、再び消費単位額（１０５円）分のパチンコ玉（２５玉）の貸与（貸出）を指令する貸与指令信号をパチンコ機２に対して出力し、貸出単位カウンタのカウンタ値が０になるまで消費単位額に相当する貸出玉数である２５玉分の払い出しを繰り返し（ここでは５回）行う。すなわち、制御ユニット３２８にて消費単位額に相当する貸出玉数である２５玉分の払い出しを指示する貸出指令信号をパチンコ機２に送信し、払出完了信号を受信したことにもとづいて受付金額の残額の減算処理および度数の減算処理を繰り返し行う。
【００７５】
なお、本実施形態では、貸出単位カウンタのカウンタ値が０になる以前にパチンコ機２に設けられた図示しない貸出中止ボタンの操作が検出されたことにより貸出単位カウンタのカウント値に応じた回数の払い出しが完了していない場合であっても貸与処理を中止する。具体的には、制御ユニット３２８では、パチンコ機２に貸与指令信号を出力して１度数分（１０５円）に相当するパチンコ玉の払い出しが終了したことを示す払出完了信号を受信したときに貸与処理を終了し、貸出単位カウンタのカウンタ値を初期値である５に戻す。すなわち、貸与指令信号にもとづいてパチンコ機２にてパチンコ玉の払い出しが実行されるため、貸出中止ボタンの操作が検出されたことにより払い出し完了信号を受信した後に貸出単位カウンタのカウンタ値が０でない場合であってもパチンコ機２に貸与指令信号を送信しないようにすることで切り良く（１度数分のパチンコ球の払い出しが終了したときに）払い出しを中止させることができる。
【００７６】
また、この実施の形態では、貸出単位度数を設定した後、貸与処理を終了した後、紙幣受付がない場合であって残額もないとき、図５のＡにて貸出単位設定ボタン３０６、貸出ボタン、および、返却ボタンの操作を所定期間（例えば、１秒）受付けなかった場合には、貨幣の受付を確認する処理を実行する。すなわち、この実施の形態では、ＲＡＭ３２８ｃに記憶される受付金額の残額が残存する（０でない）場合であっても追加して貨幣の投入が可能であり、この場合には、紙幣投入口３０２または硬貨投入口３０３から紙幣（１０００円紙幣、２０００円紙幣、５０００円紙幣、１００００円紙幣）または、硬貨（１００円硬貨、５００円硬貨）が投入されて識別された場合に、この識別された識別金額を、当該紙幣または硬貨投入以前の残額、すなわち、ＲＡＭ３２８ｃに記憶されている残額に加算して更新し、更新後の残額をＲＡＭ３２８ｃに記憶する。このとき、制御ユニット３２８は、加算更新後の残額にもとづいて度数を特定して、ＲＡＭ３２８ｃに記憶する。すなわち、加算更新後の残額を消費単位額である１０５円で除した商を加算後の度数として特定する。
【００７７】
なお、貨幣の受付を確認する処理にて紙幣の投入がなかった場合には、ＲＡＭ３２８ｃに記憶される受付金額の残額が残存するか否かを確認し、残存すれば、図５のＡに移行する。ＲＡＭ３２８ｃに記憶される受付金額の残額が０であれば、再び貨幣の受付を確認する処理が開始される。
【００７８】
以上、会員カードを所持していない遊技者が紙幣または硬貨を用いてパチンコ玉の貸与を行う際に実行される処理のタイミングチャートについて説明してきたが、次に、会員カードを用いたパチンコ玉の貸与を行う際に実行される処理のタイミングチャートについて説明する。
【００７９】
カード挿入口３１９に会員カードが挿入されるとカードリーダライタ３２７によりカードＩＤ、カード残額等を読み出し、ＲＡＭに記憶する（ここでは説明上カード残額が１００００円の会員カードが受付けられたとする）。そして、制御ユニット３２８によりＲＡＭ３２８ｃに記憶されるカード残額にもとづいて度数を特定し、特定した度数をＲＡＭ３２８ｃに記憶する。すなわち、会員カードから読み出されたカード残額（ここでは、１００００円）を消費単位額としての貸出単位額（本実施形態では、１００円）と、該貸出単位額に対応する消費税額（本実施形態では、５円）と、の合計で除した商（ここでは、９５）を度数として更新し、ＲＡＭ３２８ｃに記憶する。
【００８０】
また、カードユニット３の制御ユニット３２８から外部Ｉ／Ｏポート３３５を介してパチンコ機２にＲＡＭ３２８ｃに記憶される度数（ここでは、９５）の表示を指示する度数表示信号が送信され、該度数表示信号を受信したことにもとづいてパチンコ機２に搭載される制御手段により度数表示部２ａにて当該度数表示信号に応じた度数表示を行う。さらに、カードユニット３の制御ユニット３２８は、残金額表示部３０９にてＲＡＭ３２８に記憶される残額表示（ここでは、１００００円）を行う。
【００８１】
会員カードの受付けがない場合には、会員カードの受付けを監視する処理が繰り返し実行される。
【００８２】
次いで、制御ユニット３２８は、貨幣の受付けがあるか否か確認し、貨幣の受付けがあった場合には、紙幣投入口３０２または硬貨投入口３０３から紙幣（１０００円紙幣、２０００円紙幣、５０００円紙幣、１００００円紙幣）または、硬貨（１００円硬貨、５００円硬貨）が投入されて識別された識別金額を、当該紙幣または硬貨投入以前のカード残額と受付金額の残額との合計、すなわち、ＲＡＭ３２８ｃに記憶されている残額に加算して更新し、更新後の残額をＲＡＭ３２８ｃに記憶する。このとき、制御ユニット３２８は、加算更新後の残額にもとづいて度数を特定して、ＲＡＭ３２８ｃに記憶する。すなわち、加算更新後の残額を消費単位額である１０５円で除した商を加算後の度数として特定する。
【００８３】
そして、制御ユニット３２８は、残金額表示部３０９の表示を加算後の残額に更新するともに外部Ｉ／Ｏポート３３５を介してパチンコ機２にＲＡＭ３２８ｃに記憶される度数の表示を指示する度数表示信号を送信することにより度数表示部２ａにて当該度数表示信号に応じた度数表示を行わせる。
【００８４】
そして、貸出単位設定ボタン３０６、貸出ボタン、返却ボタンの操作を監視する処理を実行し、所定期間、貸出単位設定ボタン３０６、貸出ボタン、返却ボタンの操作が検出されなかったときに図６のＡに移行する。
【００８５】
また、図６のＡで貨幣の受付けがなかった場合には、返却ボタンが操作されたか否かを確認し、返却ボタンの操作が検出されたときに図６のＢに移行してＲＡＭ３２８ｃに記憶されている残額を会員カードに記録して会員カードを返却する。所定期間、返却ボタンの操作が検出されなかった場合には、ＲＡＭ３２８ｃに記憶される残額が残存するか否か確認し、残存していれば、貸出単位設定ボタン３０６、貸出ボタン、返却ボタンの操作を監視する処理を実行し、残存していなければ、図６のＡに移行する。
【００８６】
また、パチンコ機２に設けられている図示しない返却ボタンが操作を受付けた場合には、制御ユニット３２８は、その時点でＲＡＭ３２８ｃに記憶されている残額を会員カードに記録して会員カードを返却する。この会員カードに残存する金額は会員カードに入金した当日に限り精算装置２３にて現金に精算可能となっている。また、会員カードには残額を特定可能なカードＩＤが記録されており、カードユニット３にて会員カードを排出するときに制御ユニット３２８は、該カードＩＤと、残額と、を示す情報を精算装置２３に出力する。精算装置２３では、制御ユニット３２８からのカードＩＤと、残額と、を示す情報が入力されたことにもとづいて記憶手段（ＲＡＭ等）に記憶し、精算装置２３に会員カードが挿入されると、該会員カードのカードＩＤと残額とを読み出し、会員カードから読み出した残額と、精算装置２３の記憶手段に当該カードＩＤに対応して記憶される残額と、を照合し、合致したときに現金を払い出す。
【００８７】
なお、上述した会員カードおよび精算カードを精算装置２３にて所定期間（例えば、１週間）以内であれば現金に精算可能としてもよい。
【００８８】
また、貸出単位設定ボタン３０６、貸出ボタンの操作が検出されたときには、図５に示す会員カードを所持していない遊技者が紙幣または硬貨を用いてパチンコ玉の貸与を行う際に実行される処理と同様の処理が実行される。
【００８９】
以上、遊技用装置としてのカードユニット３を備えて遊技媒体としてのパチンコ玉の貸与の流れについて説明してきたが、この実施の形態では、会員カードまたは精算カードに残額が記録され、記録された残額をカードリーダライタにより読み出すことで残額を特定するように構成しているが、会員カードに書き換え不能に記録されているカードＩＤに対応して管理装置にて残額を管理するように構成してもよい。以下、遊技用装置と、管理装置と、を用いた遊技用システムによる貸与処理について第２実施形態として説明する。
（第２実施形態）
まず、遊技用システムの構成について説明する。図７は、遊技用システムの構成を示す図である。なお、以下の実施の形態では、パチンコ機２が複数種類設置される遊技場における遊技用システムについて説明するが、本発明による遊技用システムは、スロットマシンなどの他の遊技機が設置された場合であっても適用できる。遊技機としてスロットマシンを用いた場合には、遊技媒体としてメダル（コイン）を用いるように構成してもよい。
【００９０】
本実施形態における遊技用システムは、遊技場において複数配置された図示しない遊技島に並設される遊技機であるパチンコ機２と、該パチンコ機２に対して１対１対応して設置される本発明の遊技用装置としてのカードユニット３と、後述する会員カードおよび精算カードに残存する金額を現金に精算する精算処理を行う精算装置２３と、カードユニット３にて使用される会員カードのカード残額および貯玉数、並びに、各カードユニット３の紙幣投入口３０２および硬貨投入口３０３から投入された受付金額の総額としての入金金額、貸与したパチンコ玉の玉数に応じた消費単位額の合計である使用金額等を各カードユニット３毎に管理するシステムコントローラ１００と、から主に構成されている。
【００９１】
また、本実施形態におけるシステムコントローラ１００は、通信回線１１を介してカード管理会社に設置された管理サーバ１４０とデータ通信可能に接続されており、システムコントローラ１００にて管理されている営業情報が管理サーバ１４０に送信されることで、管理サーバ１４０にて各遊技場の売上げが管理される。
【００９２】
また、本実施形態のカードユニット３は、対応するパチンコ機２と直接接続されており、カードユニット３と対応する該パチンコ機２との間で、パチンコ玉の貸与（貸出）に関する各種の信号の送受が可能とされているとともに、対応するパチンコ機２から出力された払出完了信号が入力されるようになっている（図８参照）。
【００９３】
これら遊技場内に設置されたカードユニット３、システムコントローラ１００、精算装置２３とは、通信ケーブル８を介して双方向のデータ通信が可能に接続され、これら各接続装置にはそれぞれローカルＩＰアドレスが付与されてローカルエリアネットワーク（ＬＡＮ）が形成されている。また、該ローカルエリアネットワーク（ＬＡＮ）に接続されている各装置には、当該装置を個々に識別可能な装置ＩＤが付与されており、各装置が装置ＩＤとローカルＩＰアドレスとが対応付けられたＩＰアドレステーブルを有することで、装置ＩＤからローカルＩＰアドレスを特定して、当該装置ＩＤの装置との送受信を実施できるようになっている。また、精算装置２３にて精算カードを受付けると、該精算カードのカードＩＤをシステムコントローラ１００に出力し、システムコントローラ１００から精算装置２３に残額情報が入力されることにより残額を特定し、現金の払い出しがおこなわれる。
【００９４】
次に、第２実施形態で用いた会員カードについて簡潔に説明する。この実施の形態で使用される会員カードの非接触式ＩＣカードの内部メモリには、各会員カードを個別に識別可能な記録媒体識別情報、並びに遊技媒体であるパチンコ玉の貸出（貸与）に使用される遊技者所有の残額および貯玉数を特定可能な記録情報としてのカードＩＤが書き換え不可に記録されている。会員カードがカードユニット３に挿入されると、カードユニット３からシステムコントローラ１００にカードＩＤを示す信号を出力する。システムコントローラ１００では、入力されたカードＩＤを示す信号にもとづいて残額および貯玉数を特定し、カードユニット３に当該カードＩＤに対応した残額および貯玉数を示す信号を出力する。以上の処理により、カードユニット３に会員カードが挿入されることにより、カードユニット３にて当該会員カードに対応した残額および貯玉数の貸出（貸与）が可能となる。すなわち、第２実施形態における会員カード自体には、残額および貯玉数は記録されておらず、会員カードから読み出したカードＩＤにもとづいてシステムコントローラ１００に記憶されるこれらの情報を参照することにより残額および貯玉数が特定可能となる。
【００９５】
また、図８に示すように、第２実施形態のカードユニット３は、通信部３３４を介してカードリーダライタ３２７に挿入された会員カードに記憶されたカードＩＤによる認証等がシステムコントローラ１００との間で行われる。
【００９６】
また、第２実施形態におけるカードユニット３においては、消費単位額設定部３２０を備えていない。消費税率に対応した消費単位額は、システムコントローラ１００にて設定し、システムコントローラ１００から通信部３３４を介して入力され、制御ユニット３２８のＲＡＭ３２８ｃに消費単位額設定データとして記憶される。
【００９７】
また、本実施形態では、紙幣投入口３０２および硬貨投入口３０３から投入された受付金額の総額としての入金金額と、貸与したパチンコ玉の玉数に応じた消費単位額の合計である使用金額と、を示す情報がシステムコントローラ１００に送信され、システムコントローラ１００にてこれらの情報を累積し、個別（カードユニット３毎）に管理する。また、これらの情報は、管理サーバ１４０にも送信され、管理サーバにおいても個別に管理される。なお、システムコントローラ１００では、入力された入金金額および使用金額を１日毎に記憶する。
【００９８】
次いで、本実施形態におけるシステムコントローラ１００について図９を参照して説明する。システムコントローラ１００は、図９に示すように、コンピュータ内部にてデータの送受を行うデータバス１１２に、該システムコントローラ１００が実施する各種処理を行う中央処理装置（ＣＰＵ）１１３、時刻情報やカレンダ情報を出力するリアルタイムクロック１１４、表示装置１０７、キーボードやマウスなどの入力装置１１０、プリンタ１０４、磁気ディスクや光磁気ディスクからなり、後述する消費単位額テーブル、会員カードのカードＩＤに対応してカード残額および貯玉数が記憶される会員データテーブル等を記憶するための記憶装置１０９、各カードユニット３や精算装置２３とのデータ通信を行うための第１の通信インターフェイス１０６、カード管理会社に設置されている管理サーバ１４０との通信を実施するための第２の通信インターフェイス１０５が接続された通常のコンピュータである。
【００９９】
また、記憶装置１０９には、該システムコントローラ１００が各種処理を実施するための処理プログラムに加えて、後述する消費単位額設定画面にて受付けた玉単価、消費税率、貸出単位額、会員カード毎に残存するカード残額を管理するための会員データテーブル、各カードユニット３の入金金額および使用金額を示すカードユニット別テーブル、等が記憶される。
【０１００】
本実施形態における消費単位額テーブルは、特に図示しないが、図１０に示す消費単位額設定画面にて受付けたパチンコ玉の玉単価（４円）と、消費税率（５％）と、貸出単位額（１００円）と、が記憶されている。
【０１０１】
本実施形態における会員データテーブルは、特に図示しないが、各会員カードに記録されているカードＩＤに対応付けて、当該会員カードの残存金額が記憶されており、このように構成することで、カードＩＤによって当該カードＩＤが記録された会員カードの残存金額を特定できるようになっている。
【０１０２】
本実施形態におけるカードユニット別テーブルは、特に図示しないが、各カードユニット３毎に固有に付与された装置ＩＤに対応付けて、当該カードユニット３が設置されている遊技島の島番号が記憶される設置島の項目と、対応するパチンコ機２の台番号が記憶される対応台番号の項目と、通信状態（オンラインかオフラインか）が記憶される状況の項目と、該カードユニット３から送信される貸出完了情報に含まれる使用額の項目等が設けられており、これらの各項目の情報が各カードユニット３に固有に付与された装置ＩＤに対応付けて記憶されることでシステムコントローラ１００において各カードユニット３の入金金額および使用金額等が個別に管理されている。なお、カードユニット別テーブルに記憶される各項目において合計が算出されることで遊技場全体の入金金額および使用金額が集計されるようにしてもよい。なお、上述したように、カードユニット別テーブルに記憶されるこれらの情報は、１日毎の集計データであり、１日に一度、システムコントローラ１００の起動処理においてリセットされてカードユニット別テーブルが更新される
また、本実施形態のシステムコントローラ１００に搭載されるＣＰＵ１１３は、所定の操作にもとづいて、表示装置１０７に図１０に示す消費単位設定画面を表示して、遊技媒体であるパチンコ玉の貸与（貸出）単価である玉単価、消費税率貸出単位額を受付ける消費単位額設定内容受付け処理を実施する。
【０１０３】
次に、システムコントローラ１００の消費単位額設定内容受付け処理において、図９に示す消費単位額設定画面にて受付けた設定内容が、カードユニット３に送信されて設定される流れを図１３にもとづいて説明する。まず、各カードユニット３に新たな設定内容を記憶させて設定を実施させたい場合には、システムコントローラ１００において所定操作を実施することにより表示装置１０７に図１０に示す消費単位額設定画面を表示させる。
【０１０４】
図１０に示す消費単位額設定画面には、その上部位置に、消費税率を選択入力するための消費税率選択入力部が設けられているとともに、その下方には、１玉のパチンコ玉の貸与（貸出）に要する玉単価（貸与単価）を選択入力するための玉単価選択入力部と、該玉単価選択入力部に入力された玉単価に対応する消費税額（玉単価選択入力部に入力された玉単価に消費税率表示部に表示された消費税率を乗算した値）が表示される消費税額表示部と、単価選択入力部に入力された玉単価と消費税額表示部に表示された消費税額との合計額である消費単位額が表示される消費単位額表示部と、が横並びに設けられている。
【０１０５】
これら玉単価選択入力部、消費税額表示部、消費単位額表示部の下方位置には貸与処理において使用する際の単位額である貸出単位額を選択入力するための貸出単位額選択入力部と、該貸出単位額選択入力部に入力された貸出単位額に対応する消費税額（貸出単位額選択入力部に入力された貸出単位額に消費税率表示部に表示された消費税率を乗算した積）が表示される消費税額表示部と、貸出単位額選択入力部に入力された貸出単位額と消費税額表示部に表示された消費税額との合計額である消費単位額が表示される消費単位額表示部と、貸出単位玉数（貸出単位額選択入力部に入力された貸出単位額を玉単価選択入力部に入力された玉単価で除した商）が表示される貸出単位玉数表示部と、が立て並びに設けられている。
【０１０６】
そして、例えば、消費税率を５％、玉単価を４円、貸出単位額を１００円に選択入力した場合、まず、貸出単位額を玉単価で除することで貸出単位玉数として２５玉が算出されて貸出単位玉数表示部に表示されるとともに、消費単位額（４円＋（４×０．０５）＝４．２円）並びに消費税単位額（１００円＋（１００×０．０５）＝１０５円）がそれぞれ算出されて各々の表示部に表示される。そして、全ての内容が表示された後に、消費単位額設定画面の下方に設けられている「登録」の選択入力部を選択入力する。
【０１０７】
この「登録」の選択入力部の選択入力にもとづいてシステムコントローラ１００に搭載されるＣＰＵ１１３は、消費単位額設定画面にて入力された各内容を、図示しない消費単位額テーブルの対応する項目に記憶するとともに、図１３に示されるように、消費単位額テーブルの記憶内容のうち、貸出単位玉数、消費単位額を消費単位額設定データとして各カードユニット３に送信する。
【０１０８】
この消費単位額設定データの送信に基づいてカードユニット３の制御ユニット３２８は、受信した消費単位額設定データをＲＡＭ３２８ｃに更新記憶することで貸出単位玉数、消費単位額等を設定するようになっており、このように構成することで、各カードユニット３毎に貸出単位玉数、消費単位額等を入力して設定する手間と労力を大幅に低減できる。
【０１０９】
つまり、カードユニット３の制御ユニット３２８は、システムコントローラ１００から送信された消費単位額設定データにもとづいて、カード残額および受付金額の残額を貸与処理にて使用する際の単位額である貸出単位額（本実施形態では、１００円）と、当該貸出単位額に対応する消費税額（貸出単位額に消費税率を乗算した積（本実施形態では、５円）との合計額である消費単位額（本実施形態では、１０５円）を特定可能な消費単位額特定情報としての消費単位額を設定する消費単位額設定処理を行う貸与額設定手段を構成している。
【０１１０】
なお、このようにしてＲＡＭ３２８ｃに記憶された消費単位額設定データは、１日に一回、カードユニット３の起動時において、制御ユニット３２８が自己の装置ＩＤを含む接続確認信号をシステムコントローラ１００に送信することで、該接続確認情報を受信したシステムコントローラ１００のＣＰＵ１１３は、カードユニット別テーブルにおいて、受信した接続確認信号に含まれる装置ＩＤに対応する「状況」の項目のデータを、オフラインからオンラインに更新するとともに、その時点において消費単位額テーブルに記憶されている記憶内容のうち、貸出単位玉数、消費単位額を消費単位額設定データとして、接続確認情報を送信してきたカードユニット３に対して送信することにより、該消費単位額設定データの送信にもとづいてカードユニット３の制御ユニット３２８によって、受信した消費単位額設定データに更新記憶される。このように構成することにより、例えば、何らかの障害により、消費単位額設定データが壊れている場合や、不正に改竄されている場合にも、毎日、正しい設定が確実に実施されるようになり、これら消費単位額設定データの障害による不具合の発生を未然に防止することができる。
【０１１１】
このようにして、消費単位額設定データの更新記憶が完了したカードユニット３に、遊技者が遊技をするために、貨幣（紙幣または硬貨）を投入した場合には、図１１に示すように、カードユニット３の紙幣投入口３０２および硬貨投入口３０３から紙幣または硬貨が投入されると（ここでは説明上１００００円が投入されたとする）、紙幣識別ユニット３２２または硬貨識別ユニット３２４により識別されて、該識別結果（紙幣種別または硬貨種別）が制御ユニット３２８に出力されて受付けられることで、制御ユニット３２８は、自己の装置ＩＤと、識別結果から特定される入金金額（この場合では、１００００円）と、を含む入金要求をシステムコントローラ１００に送信する。
【０１１２】
入金要求を受信したシステムコントローラ１００のＣＰＵ１１３は、記憶装置１０９における装置ＩＤに対応する入金金額に該受信した入金要求に含まれる入金金額（この場合では、１００００円）を加算更新する。また、当該入金金額にもとづいて度数を特定し、特定した度数を記憶装置１０９における装置ＩＤに対応する度数に加算更新する。すなわち、入金要求に含まれる入金金額（ここでは、１００００円）を消費単位額としての貸出単位額（本実施形態では、１００円）と、該貸出単位額に対応する消費税額（本実施形態では、５円）と、の合計で除した商（ここでは、９５）を度数として特定し、記憶装置１０９に加算更新する。
【０１１３】
システムコントローラ１００のＣＰＵ１１３は、入金金額および度数の加算更新が完了すると、更新完了を入金要求の送信元のカードユニット３に送信するとともに、加算更新後の入金金額（残額）および度数を示す信号を送信することで、これらの信号を受信した制御ユニット３２８が、加算更新後の残額を残金額表示部３０９にて更新表示するとともに、当該度数を示す度数表示信号をパチンコ機２に送信することで度数表示部２ａにて実行される度数表示を当該度数表示信号に応じた値に更新させる。
【０１１４】
該使用許諾の受信にもとづいて制御ユニット３２８は、カード残額および度数をＲＡＭ３２８ｃに記憶し、カード残額を残金額表示部３０９にて更新表示するとともに、当該度数を示す度数表示信号をパチンコ機２に送信することで度数表示部２ａにて実行される度数表示を当該度数表示信号に応じた値に更新させる。そして、制御ユニット３２８が図１１に示すＡに移行して貸出単位設定ボタン３０６、返却ボタン、貸出ボタンの操作を検出する処理を実行することで、これら入金された金額を遊技に使用できるようになる。
【０１１５】
ここで貸出単位設定ボタン３０６の操作を受付けた場合には、制御ユニット３２８は、貸出単位設定ボタン３０６の操作に応じて遊技者が貸出単位度数表示部３０７に表示させた貸出単位度数を設定した後、処理を終了して再び貨幣の受付けを確認する処理が開始される。なお、ここでは、貸出単位度数として５度数（５２５円）が設定されているとして以下説明する。
【０１１６】
また、パチンコ機２に設けられている図示しない返却ボタンが操作を受付けた場合には、制御ユニット３２８は、自己の装置ＩＤと、精算カードのカードＩＤと、を含む返却要求をシステムコントローラ１００に送信する。
【０１１７】
返却要求を受信したシステムコントローラ１００のＣＰＵ１１３は、記憶装置１０９における装置ＩＤに対応する残額および度数を、該受信した返却要求に含まれる精算カードのカードＩＤに対応付けて記憶装置１０９に記憶する。そして、システムコントローラ１００のＣＰＵ１１３は、返却処理が完了すると、返却処理完了を返却要求の送信元のカードユニット３に送信する。返却処理完了を受信したことにもとづいて制御ユニット３２８は、精算カードを排出する。
【０１１８】
この精算カードに残存する金額は精算カードが発行された当日に限り精算装置２３にて現金に精算可能となっている。また、精算カードには残額を特定可能なカードＩＤが記録されており、精算装置２３に精算カードが挿入されると、該精算カードのカードＩＤを示す信号をシステムコントローラ１００に送信し、当該カードＩＤを示す信号を受信したことにもとづいてシステムコントローラ１００のＣＰＵ１１３が記憶装置１０９からカードＩＤに対応した残額を読み出し、当該残額を示す信号を精算装置２３に送信する。そして、当該残額を示す信号を受信したことにもとづいて精算装置２３にて現金を払い出す。
【０１１９】
なお、精算カードを用いて再遊技可能とした場合には、制御ユニット３２８からカード挿入口３１９に挿入された精算カードのカードＩＤ示す信号をシステムコントローラ１００に送信し、当該カードＩＤを示す信号を受信したことにもとづいてシステムコントローラ１００のＣＰＵ１１３が記憶装置１０９からカードＩＤに対応した残額および度数を読み出し、当該残額および度数を示す信号を当該制御ユニット３２８に送信するとともにカードＩＤに対応する残額および度数をクリアする。制御ユニット３２８では、受信した残額および度数にもとづいて残額を残金額表示部３０９にて表示するとともに、当該度数を示す度数表示信号をパチンコ機２に送信する。
【０１２０】
また、パチンコ機２に設けられている図示しない貸出ボタンの操作を受付けた場合には、消費単位額（１０５円）分のパチンコ玉（２５玉）の貸与を指令する貸与指令信号を、外部Ｉ／Ｏポート３３５から対応するパチンコ機２に対して出力することでパチンコ機２にてパチンコ玉の払い出しが開始される。なお、ここでは、貸出単位度数が５度数（５２５円）に設定されていることから、上述した貸与指令信号の出力が貸出単位度数に相当する５回分行うとして図示しない貸出単位カウンタに回数を示すカウンタ値である５をセットする。
【０１２１】
パチンコ機２からは、２５玉のパチンコ玉の払い出し毎に払出完了信号が出力されるようになっており、該１パルスの信号が外部Ｉ／Ｏポート３３５から入力されることにもとづいて制御ユニット３２８は、該１パルスの信号の入力毎に貸出単位カウンタのカウンタ値を１ずつ減算更新し、該カウンタ値が０となったかを監視する。
【０１２２】
また、払出完了信号を受信したことにもとづいて、制御ユニット３２８から使用額として消費単位額（１０５円）、装置ＩＤとを含む貸出完了情報をシステムコントローラ１００に送信する。システムコントローラ１００のＣＰＵ１１３は、貸出完了情報を受信したことにもとづいて当該貸与（貸出）に供された使用額（１０５円）を、貸与（貸出）以前の残額、すなわち、記憶装置１０９に記憶されている残額（１００００円）から減算した値（９８９５円）に更新する。つまり、システムコントローラ１００のＣＰＵ１１３は、記憶装置１０９に記憶される残額を消費単位額である１０５円にもとづいて減算更新している。また、システムコントローラ１００のＣＰＵ１１３は、当該貸与（貸出）に供された度数（１）を、貸与（貸出）以前の度数、すなわち、記憶装置１０９に記憶されている度数（９５）から減算した値（９４）に更新する。
【０１２３】
なお、この実施形態では、記憶装置１０９に記憶される度数（９５）から貸与に供された度数（１）を減算することにより消費単位額に相当する貸出玉数の払い出しが行われた後の度数（９４）を特定する構成としているが、減算更新後の受付金額の残額（９８９５）を消費単位額である１０５円で除した商（９４）を減算更新後の度数として特定するように構成してもよい。
【０１２４】
そして、システムコントローラ１００のＣＰＵ１１３は、記憶装置１０９に記憶される減算更新後の残額および度数を示す信号をカードユニット３に送信し、制御ユニット３２８により、受信した残額および度数にもとづいて残額を残金額表示部３０９にて表示するとともに、当該度数を示す度数表示信号をパチンコ機２に送信する。
【０１２５】
また、制御ユニット３２８は、貸出単位カウンタから１を減算し、減算後のカウンタ値が０でなければ、再び消費単位額（１０５円）分のパチンコ玉（２５玉）の貸与（貸出）を指令する貸与指令信号をパチンコ機２に対して出力し、貸出単位カウンタのカウンタ値が０になるまで消費単位額に相当する貸出玉数である２５玉分の払い出しを繰り返し（ここでは５回）行う。すなわち、制御ユニット３２８にて消費単位額に相当する貸出玉数である２５玉分の払い出しを指示する貸出指令信号をパチンコ機２に送信し、払出完了信号を受信したことにもとづいて貸出完了情報をシステムコントローラ１００に送信することで、システムコントローラ１００にて記憶装置１０９に記憶される残額および度数の減算処理を繰り返し行う。
【０１２６】
なお、本実施形態では、貸出単位カウンタのカウンタ値が０になる以前にパチンコ機２に設けられた図示しない貸出中止ボタンの操作が検出されたことにより貸出単位カウンタのカウント値に応じた回数の払い出しが完了していない場合であっても貸与処理を中止する。具体的には、制御ユニット３２８では、パチンコ機２に貸与指令信号を出力して１度数分（１０５円）に相当するパチンコ玉の払い出しが終了したことを示す払出完了信号を受信したときに貸出完了情報をシステムコントローラ１００に送信して貸与処理を終了し、貸出単位カウンタのカウンタ値を初期値である５に戻す。すなわち、貸与指令信号にもとづいてパチンコ機２にてパチンコ玉の払い出しが実行されるため、貸出中止ボタンの操作が検出されたことにより払い出し完了信号を受信した後に貸出単位カウンタのカウンタ値が０でない場合であってもパチンコ機２に貸与指令信号を送信しないようにすることで切り良く（１度数分のパチンコ球の払い出しが終了したときに）払い出しを中止させることができる。
【０１２７】
次に、遊技者が遊技をするために会員カードを挿入した場合について説明する。カードユニット３に会員カードを挿入した場合には、図１２に示すように、カードユニット３のカードリーダライタ３２７により、挿入された会員カードからカードＩＤが読み出されて、該カードＩＤが制御ユニット３２８に出力されることで、該制御ユニット３２８は、挿入中ＬＥＤ３１２ａを点灯状態とし、該出力されてきたカードＩＤと自己の装置ＩＤとを含む使用許諾要求をシステムコントローラ１００に対して送信する。
【０１２８】
使用許諾要求の受信に応じてシステムコントローラ１００のＣＰＵ１１３は、受信した使用許諾要求に含まれるカードＩＤに対応付けて会員データテーブルに記憶されているカード残額および度数を読み出し、該カード残額および度数を示す信号および使用許諾を受信した使用許諾要求の送信元のカードユニット３に送信する。
【０１２９】
該使用許諾の受信にもとづいて制御ユニット３２８は、カード残額および度数をＲＡＭ３２８ｃに記憶し、カード残額を残金額表示部３０９にて更新表示するとともに、当該度数を示す度数表示信号をパチンコ機２に送信することで度数表示部２ａにて実行される度数表示を当該度数表示信号に応じた値に更新させる。
【０１３０】
次いで、制御ユニット３２８は、貨幣の受付けがあるか否か確認し、紙幣投入口３０２および硬貨投入口３０３から紙幣または硬貨が投入されると（ここでは説明上１００００円が投入されたとする）、紙幣識別ユニット３２２または硬貨識別ユニット３２４により識別されて、該識別結果（紙幣種別または硬貨種別）が制御ユニット３２８に出力されて受付けられることで、制御ユニット３２８は、自己の装置ＩＤと、カードＩＤと、識別結果から特定される入金金額（この場合では、１００００円）と、を含む入金要求をシステムコントローラ１００に送信する。
【０１３１】
入金要求を受信したシステムコントローラ１００のＣＰＵ１１３は、会員データテーブルにおけるカードＩＤに対応する入金金額に該受信した入金要求に含まれる入金金額（例えば、１０００円）を加算更新する。また、当該入金金額にもとづいて度数を特定し、特定した度数を会員データテーブルにおける会員ＩＤに対応する度数に加算更新する。すなわち、入金要求に含まれる入金金額（ここでは、１０００円）を消費単位額としての貸出単位額（本実施形態では、１００円）と、該貸出単位額に対応する消費税額（本実施形態では、５円）と、の合計で除した商（ここでは、９）を度数として特定し、会員データテーブルに加算更新する。
【０１３２】
システムコントローラ１００のＣＰＵ１１３は、入金金額および度数の加算更新が完了すると、更新完了を入金要求の送信元のカードユニット３に送信するとともに、加算更新後の入金金額（残額）および度数を示す信号を送信することで、これらの信号を受信した制御ユニット３２８が、加算更新後の残額を残金額表示部３０９にて更新表示するとともに、当該度数を示す度数表示信号をパチンコ機２に送信することで度数表示部２ａにて実行される度数表示を当該度数表示信号に応じた値に更新させる。そして、制御ユニット３２８が貸出単位設定ボタン３０６、返却ボタン、貸出ボタンの操作を検出する処理を実行することで、これら入金された金額を遊技に使用できるようになる。
【０１３３】
また、図１２のＡで貨幣の受付けがなかった場合には、返却ボタンが操作されたか否かを確認し、返却ボタンの操作が検出されたときに図１２のＢに移行して、制御ユニット３２８は、自己の装置ＩＤと、精算カードのカードＩＤと、を含む返却要求をシステムコントローラ１００に送信する。
【０１３４】
返却要求を受信したシステムコントローラ１００のＣＰＵ１１３は、会員データテーブルにおける会員ＩＤに対応する残額および度数を、該受信した返却要求に含まれる会員カードのカードＩＤに対応付けて会員データテーブルに記憶する。そして、システムコントローラ１００のＣＰＵ１１３は、返却処理が完了すると、返却処理完了を返却要求の送信元のカードユニット３に送信する。返却処理完了を受信したことにもとづいて制御ユニット３２８は、会員カードを返却する。
【０１３５】
また、所定期間、返却ボタンの操作が検出されなかった場合には、ＲＡＭ３２８ｃに記憶される残額が残存するか否か確認し、残存していれば、貸出単位設定ボタン３０６、貸出ボタン、返却ボタンの操作を監視する処理を実行し、残存していなければ、図１２のＡに移行する。
【０１３６】
なお、貸出単位設定ボタン３０６、貸出ボタンの操作が検出されたときには、図１１に示す会員カードを所持していない遊技者が紙幣または硬貨を用いてパチンコ玉の貸与を行う際に実行される処理と同様の処理が実行される。
【０１３７】
以上、遊技用装置としてのカードユニット３を備えた場合の貸与処理と、遊技用システムとしてのカードユニット３およびシステムコントローラ１００を備えた場合の貸与処理と、を示したが、カード（会員カード、精算カード）および紙幣投入口３０２、硬貨投入口３０３から投入された紙幣または硬貨の残額を表示する残金額表示部３０９をカードユニット３とパチンコ機２とのいずれか一方または両方に設ける構成としてもよい。同様に、度数表示部２ａをパチンコ機２とカードユニット３とのいずれか一方または両方に設ける構成としてもよい。
【０１３８】
さらに、第２実施形態においては、カードユニット３にて、システムコントローラ１００から受信した残額および度数をＲＡＭ３２８ｃに記憶する構成としているが、少なくともシステムコントローラ１００にて残額および度数を記憶していればよく、カードユニット３にて記憶しないように構成してもよい。
【０１３９】
また、第２実施形態において、会員カードおよび精算カードのカードＩＤにもとづいてシステムコントローラ１００の会員データテーブルまたは記憶装置１０９に記憶される残額および度数を特定するようにしているが、会員カードおよび精算カードにも残額および度数を示すデータを記録してもよい。この場合には、会員カードおよび精算カードに記録されている残額および度数と、該会員カードまたは精算カードのカードＩＤに対応してシステムコントローラ１００の会員データテーブルまたは記憶装置１０９に記憶される残額および度数と、を比較照合して、双方の残額および度数が一致したことにもとづいて精算装置２３における現金への精算、カードユニット３における貸与処理、等を実行可能な状態にしてもよい。
【０１４０】
また、本実施形態では、各遊技場にて発行される会員カードを用いた例を示したが、貨幣価値を特定可能な貨幣価値媒体であればよく、例えば、プリペイドカードを用いた場合であっても適用可能である。
【図面の簡単な説明】
【０１４１】
【図１】第１実施形態における遊技用装置の構成を示す説明図である。
【図２】カードユニットとパチンコ機とを示す正面である。
【図３】第１実施形態におけるカードユニットの構成を示すブロック図である。
【図４】度数表示部における度数表示と残額とを示す説明図である。
【図５】第１実施形態における処理状況を示す図である。
【図６】第１実施形態における処理状況を示す図である。
【図７】第２実施形態における遊技用システムの構成を示す説明図である。
【図８】第２実施形態におけるカードユニットの構成を示すブロック図である。
【図９】第２実施形態におけるシステムコントローラの構成を示す図である。
【図１０】第２実施形態に用いたシステムコントローラにおける消費単位額設定画面を示す図である。
【図１１】第２実施形態における処理状況を示す図である。
【図１２】第２実施形態における処理状況を示す図である。
【図１３】第２実施形態における処理状況を示す図である。
【符号の説明】
【０１４２】
２        パチンコ機
２ａ      度数表示部
３        カードユニット
８        通信ケーブル
２３      精算装置
１０９      記憶装置
１１３      ＣＰＵ
３０１      多機能表示部
３０２      紙幣投入口
３０３      硬貨投入口
３０４      硬貨返却ボタン
３０５      貸出単位設定表示部
３０６      貸出単位設定ボタン
３０７      貸出単位度数表示部
３０９      残金額表示部
３１１      方向指示表示部
３１２      カード挿入口
３１３      硬貨返却口
３１９      カード挿入口
３２０      消費単位額設定部
３２７      カードリーダライタ
３２８      制御ユニット
【図１】
2006081825.tif 000003
【図２】
2006081825.tif 000004
【図３】
2006081825.tif 000005
【図４】
2006081825.tif 000006
【図５】
2006081825.tif 000007
【図６】
2006081825.tif 000008
【図７】
2006081825.tif 000009
【図８】
2006081825.tif 000010
【図９】
2006081825.tif 000011
【図１０】
2006081825.tif 000012
【図１１】
2006081825.tif 000013
【図１２】
2006081825.tif 000014
【図１３】
2006081825.tif 000015